(57)【要約】【課題】これまでの電池は使い捨て感覚が大変に目にとまります。この電池は元々が超高級ミネラル電解水を使ってる事から、使い捨てポイ捨て電池と異なり、工夫次第で人や生き物が食べる事が可能な電池の発明です。【解決手段】本発明は、日常生活ゴミ（生活廃棄物）として使い捨てポイ捨て電池が大きな社会問題と成っている昨今。食物電池は使い捨てポイ捨て電池と異なり、工夫次第で食べ物へ再利用が可能。電解液をそのままで捨てても自然界の影響は限りなくゼロに近いでしょう。電解液はミネラル成分が豊富で自然界への貢献度は多大です。自然環境改善から見て、自然環境改善を解決する策や手段として大きな期待が出来る発明と考えます。【選択図】    図１
2006049252.tif 000002
【特許請求の範囲】
【請求項１】
特殊な環境の高山にて採取した純度の濃いミネラル電解水を、電池としてふさわしい電解液濃度（ペーハー  ｐＨ）に調整し作られた図１の特殊な食べ物電池（以降は食物電池と略す）です。一番最初に充電作業をする事が無く、一般の乾電池の感覚で電極のプラスとマイナスへ電気の負荷回路を接続する事で、一般の電池と同様に使う事が出来ます。
【請求項２】
電池の出力が低下した時、充電をする事で電力を回復（復旧．復活を意味）が出来ますが、図１−９又は１１電解液補充キャップを外し、その容器の中へ水道水（他にも河川水．池水．湖水．海水が使用出来ます）など適度な水位へ注ぐ事で電気を取り出す事が可能な発明です。取り出す電圧は注ぐ水道水などの水量で自在に変える事が可能。この電圧の一例に（電圧が０．２ボルト〜３．６ボルト程度）が標準とします。
【発明の詳細な説明】
【技術分野】
【０００１】本発明は普通の電池と異なり、電池を回復する時は図１−９又は１１の電解液補充キャップを外し、電解液を補充する事でＯＫ。電池の出力電圧は注ぐ水道水などの水量で自在に選択が出来、電圧は０．２ボルト〜３．６ボルト程度。更に積層の組み合わせ方で必要に応じた電圧を容易に作り出す事が可能な技術の分野です。
【背景技術】
【０００２】本発明が従来と大きく異なる点に、充電をする事で電池の回復が出来ますが、更に水道水を注ぐ事で回復する事です。電解水（電解液）のイオンかけいこうの度合いが高い事を背景の技術として活用した発明です。【０００３】本発明は特殊な自然環境の高山で採取されたミネラル電解水を、電池の電解液として用いた発明です。生物が生き続ける為に不可欠なミネラル元素が豊富で、この電解水を電解液として活用した食物電池は、使い捨て電池と大きく異なり、最後は食物として消費する事も可能です。昨今、話題が高まっているリサイクル意識を大きく考慮をしたリサイクルが可能な食物を背景とした技術の発明です。
【特許文献１】特開平１０−２０１８１５
ある特定経穴のみ照射可能なように細いビーム径を有し，簡易構造，小型，軽量で，かつ乾電池で作動可能な，皮膚良導絡電気伝導性の調整が可能な装置を提供する。【特許文献２】特開２００３−０８９０７７
飼い主が食事や排泄の世話などを通じて生命の尊さに対する情操教育を学ぶことができるロボットを提供する。当方の食物電池はクリーンな環境と地震災害救済などの人命に及ぼす災難や災害を重視し、自然に及ぼす影響を強く考慮した発明にて、この発明の特開２００３−０８９０７７とは多いに異なります。【特許文献３】特開２００３−１０４７２４
ダスト発生防止のために微粉体の結着を施すために使用されていた澱粉、ポリビニールアルコール、カルボキシメチルセルロース等の水溶液あるいは、水噴霧では、コージライト・ムライト製甲鉢の耐用寿命が短く、甲鉢更新も、製造コストに影響を与えていた。耐用寿命が長く、ダスト発生防止のために微粉体の結着を施すことの出来る代替物が求められていた。当方の食物電池はクリーンな環境と地震災害救済などの人命に及ぼす災難や災害を重視し、自然に及ぼす影響を強く考慮した発明にて、この発明の特開２００３−１０４７２４とは多いに異なります。【特許文献４】特開平１１−０９０４５６
外部からの電力供給を必要とせずに、水の浄化およびミネラル分に富んだアルカリイオン水を生成する。当方の食物電池はクリーンな環境と地震災害救済などの人命に及ぼす災難や災害を重視し、自然に及ぼす影響を強く考慮した発明にて、この発明の特開平１１−０９０４５６とは多いに異なります。【特許文献５】特開平０７−１８５５０６
環境汚染を防止するために、ボタン形電池を含む水銀含有廃棄物の処理方法を提供する。当方の食物電池はクリーンな環境と地震災害救済などの人命に及ぼす災難や災害を重視し、自然に及ぼす影響を強く考慮した発明にて、この発明の特開平０７−１８５５０６とは多いに異なります。
【発明の開示】
【発明が解決しようとする課題】
【０００４】これまでの電池は使い捨て感覚が大変に目だちます。この電池は元々が超高級ミネラル電解水を使ってる事から、使い捨てポイ捨て電池と異なり、工夫次第で人や生き物が食べる事が可能な電池の発明です。
【課題を解決するための手段】
【０００５】本発明は、日常生活ゴミ（生活廃棄物）として使い捨てポイ捨て電池が大きな社会問題と成っている昨今です。この食物電池は使い捨てポイ捨て電池と異なり、工夫次第で食べ物として再利用ができ、又、電解液をそのまま捨てても自然界への影響は限りなくゼロに近いでしょう。この電解液はミネラル成分が豊富で自然界への貢献度は多大でしょう。自然環境の改善から見て、自然環境改善を解決する策や手段として大きな期待が出来る発明と考えます。
【発明の効果】
【０００６】本発明の効果として、この食物電池が普及する事で、不足がちなカルシュームなどのミネラル成分などを世に普及する事が可能。科学物質で作られた電池と異なり、自然でリーンな物質１００％の電解水、人畜無害この電解液は生命に不可欠なミネラル１００％から出来てます。これを電池として活用しましたが、使用後の再利用として、食す事も可能、自然界へ散布する事も可能。結果としてバランスの取れた自然界を取り戻す為の、（エコ．クリーン．エネルギー）一つの方法や手段として大変に大きな効果が期待されます。
【発明を実施するための最良の形態】
【０００７】本発明の食物電池がもたらす最良の形態は、登山で遭難した時の非常電源や非常食として緊急用アイテムのグッヅとして、小物入箱などに収めて置く事により生命の危機からの脱出手段に活用したり、地震などの災害時の救命グッヅなどの保安用品に実施採用される事と考えます。
【実施例１】
【０００８】本発明の実施例１としてこの食物電池は登山で遭難した時の非常電源や非常灯、そして非常食に最も適しています。更に、地震災害時などの緊急事態で電気や明かりそして、生き埋めに遭遇した時の非常食（特にマグネシューム．ナトリウム．カルシュームなどが豊富）として使う事が可能です。
【産業上の利用可能性】
【０００９】本発明の食物電池は、その他に特別必要とする物は殆ど御座いません。後は水が有れば充分です。水道水の他に河川水．池水．湖水と、どこでも補充が可能です。更に、海水もＯＫです。海水の方がより活発に電気を作り出せます。緊急時や災害時などの物資が不足気味な状況下で人命救助活動、生命の維持に対し食物電池の活躍ぶりは甚大な事と期待されます。
【図面の簡単な説明】
【００１０】
【図１】  本発明の側面図  特殊なカリウム、カルシューム、マグネシューム、ナトリウムなどで出来た純度の濃い水溶液を混ぜた電解液へ電極の銅板と鉛板を積層した食物電池  本発明の上面図  特殊なカリウム、カルシューム、マグネシューム、ナトリウムなどで出来た純度の濃い水溶液を混ぜた電解液へ電極の銅板と鉛板を積層した食物電池
【符号の説明】
【図１】
１−第１電解液槽側の銅板で出来たプラス電極の部
２−第１電解液槽側のミネラル電解液の部
３−第１電解液槽側の鉛又はアルミ板で出来たマイナス電極の部
４−第２電解液槽側の銅板で出来たプラス電極の部
５−第２電解液槽側のミネラル電解液の部
６−第２電解液槽側の鉛又はアルミ板で出来たマイナス電極の部
７−食物電池の外側ケースの部
８−外部取り出し電極  プラス側の部
９−第１電解液槽側の電解液補充キャップの部
１０−第１電解液槽側の収納ケースの部
１１−第２電解液槽側の電解液補充キャップの部
１２−第２電解液槽側の収納ケースの部
１３−外部取り出し電極  マイナス側の部
【図２】
１−第１電解液槽側の銅板で出来たプラス電極の部
２−第１電解液槽側のミネラル電解液の部
３−第１電解液槽側の鉛又はアルミ板で出来たマイナス電極の部
４−第２電解液槽側の銅板で出来たプラス電極の部
５−第２電解液槽側のミネラル電解液の部
６−第２電解液槽側の鉛又はアルミ板で出来たマイナス電極の部
７−食物電池の外側ケースの部
８−外部取り出し電極  プラス側の部
９−第１電解液槽側の電解液補充キャップの部
１０−第１電解液槽側の収納ケースの部
１１−第２電解液槽側の電解液補充キャップの部
１２−第２電解液槽側の収納ケースの部
１３−外部取り出し電極  マイナス側の部
【図１】
2006049252.tif 000003
【図２】
2006049252.tif 000004
【手続補正書】
【提出日】平成16年10月13日(2004.10.13)
【手続補正１】
【補正対象書類名】明細書
【補正対象項目名】００１０
【補正方法】変更
【補正の内容】
【００１０】
【図面の簡単な説明】
【００１０】
【図１】  本発明の側面図  特殊なカリウム、カルシューム、マグネシューム、ナトリウムなどで出来た純度の濃い水溶液を混ぜた電解液へ電極の銅板と鉛板を積層した食物電池
【図２】  本発明の上面図  特殊なカリウム、カルシューム、マグネシューム、ナトリウムなどで出来た純度の濃い水溶液を混ぜた電解液へ電極の銅板と鉛板を積層した食物電池